(57)【特許請求の範囲】
【請求項１】
第１の巻線と第２の巻線を有する変成器と、
入力供給電圧源と、
周期的スイッチング制御信号に応答して、前記入力供給電圧を前記第１の巻線に周期的に供給するスイッチング・トランジスタと、
前記第２の巻線に結合され、前記第２の巻線における変成器結合された電圧を整流して、負荷に結合される整流された出力供給電圧を発生する整流器であって、前記入力供給電圧が前記第１の巻線に供給されるとき、所定期間の一部の間、前記出力供給電圧が発生され、フォワード変換器動作を与える、前記整流器と、
前記第１の巻線を介して前記第２の巻線に結合され、前記整流器を流れる電流の変化率を制限するインダクタと、
前記インダクタに結合され、前記トランジスタが非導通のとき、共振回路を形成するキャパシタンスと、
前記共振回路に発生する共振電圧に応答し、前記出力供給電圧を制御するスイッチング・タイミングを有し、前記スイッチング制御信号を発生して、前記スイッチング・トランジスタにゼロ電圧のスイッチングを与える制御回路とから成る、フォワード変換器。
【請求項２】
前記インダクタが前記第１の巻線と直列に結合されている、請求項１記載の変換器。
【請求項３】
前記所定期間の一部の間、前記第２の巻線と前記負荷との間の電流路に低インピーダンスが形成される、請求項１記載の変換器。
【請求項４】
前記制御回路が前記出力供給電圧に応答して、負帰還の態様で前記スイッチング制御信号のデューティ・サイクルを変化させ、前記出力供給電圧を調整する、請求項１記載の変換器。
【請求項５】
前記整流器に結合されるフィルタ・コンデンサを含み、前記第２の巻線と前記フィルタ・コンデンサの間の電流路に低インピーダンスが形成され、且つ前記インダクタが前記電流路を流れる電流を制限する、請求項１記載のフォワード変換器。
【請求項６】
前記第１の巻線と第２の巻線が、前記変成器の１次巻線と２次巻線をそれぞれ形成する、請求項１記載のフォワード変換器。
【請求項７】
前記変成器が、
第３の巻線と、
前記第３の巻線に結合される第２の整流器であって、前記第３の巻線に発生する変成器結合された電圧を整流して、第２の負荷に結合される整流された第２の出力電圧を発生し、前記インダクタが前記第１の巻線を介して前記第３の巻線に結合され、前記第２の整流器を流れる電流の変化率を制限する、前記第２の整流器を含む、請求項１記載のフォワード変換器。
【請求項８】
前記第２の巻線と第３の巻線が、それらに発生する電圧に追従するように密に結合されている、請求項７記載のフォワード変換器。
【請求項９】
前記第３の巻線と前記第２の整流器の間の電流路に低インピーダンスが形成される、請求項７記載のフォワード変換器。
【請求項１０】
第１の巻線と第２の巻線を有する変成器と、
入力供給電圧源と、
周期的スイッチング信号に応答して、前記第１の巻線に前記入力供給電圧を周期的に供給するスイッチング・トランジスタと、
前記第２の巻線に結合される第１の整流器であって、前記第２の巻線中に発生する変成器結合電圧を整流し、該変成器結合電圧は、前記入力供給電圧がフォワード変換器動作において前記第１の巻線に供給される所定期間の一部の間、前記整流器を介して負荷に結合されて該負荷に整流された出力供給電圧を発生し、前記第２の巻線と前記負荷の間の第１の電流路が前記整流器を含み、低インピーダンスを呈する、前記第１の整流器と、
前記第１の巻線に結合され、前記第１の電流路を流れる電流の変化率を制限するインダクタと、
前記出力供給電圧を制御するスイッチング・タイミングを有し、前記スイッチング制御信号を発生する制御回路とから成る、フォワード変換器。
【請求項１１】
前記第２の巻線と第３の巻線の各々が前記第１の巻線に密に結合されて、前記変成器の漏れインダクタンスを減少させる、請求項１０記載のフォワード変換器。
【発明の詳細な説明】
産業上の利用分野
本発明は、スイッチ・モードの電源（Ｓｗｉｔｃｈ  Ｍｏｄｅ  Ｐｏｗｅｒ  Ｓｕｐｐｌｙ：ＳＭＰＳ）に関するものである。特に、本発明はフォワード電圧変換器に関する。
発明の背景
スイッチ・モードの電源は、トランジスタのようなスイッチがオン／オフになるタイミングを変えることにより、調整されたＤＣ出力を発生し、変成器の１次巻線に生の（ｒａｗ）電源電圧を結合させる。調整された出力は、変成器の２次巻線に発生する電圧を整流することにより得られ、スイッチングをトリガする駆動回路または制御回路に帰還される。
共振または同調したゼロ電圧スイッチング式スイッチ・モード電源において、変成器の１次巻線のトランジスタ・スイッチは、クランプ・ダイオードと並列に且つ１次巻線と直列に結合される。コンデンサが１次巻線に結合され、１次巻線のインダクタンスと共振回路を形成する。実質的に正弦波の電圧が、各期間の一部の間、インダクタンスの両端間に発生する。発振の半サイクルの終りに、ダイオードは導通し、トランジスタのコレクタをゼロ・ボルトにクランプする。スイッチング損失を最小限度にするために、コレクタ電圧がゼロ電圧のときに、トランジスタをスイッチ・オンする。この共振回路は、非共振スイッチ・モードの電源と比較すると、トランジスタがスイッチ・オフされたとき、トランジスタの両端に生じる電圧を減じる。
フォワード型電圧変換器において、生の即ち未調整の入力電圧からの電源は、トランジスタ・スイッチの導通の間、出力に結合される。このタイプの典型的なハーフ・フォワード型電圧変換器の構成において、変成器の２次巻線は、整流ダイオード、インダクタまたはチョークおよびフィルタ・コンデンサと直列に結合される。上述した直列ダイオードは２次巻線とクランプ用キャッチ（ｃａｔｃｈ）・ダイオードとの間に結合される。２個のダイオードのカソードは直列インダクタまたはチョークに結合され、それからフィルタまたは出力コンデンサに結合される。出力供給電圧がフィルタ・コンデンサに発生される。
バック（ｂｕｃｋ）効果が発生され、１次巻線の順方向導通の間、２次巻線の直列ダイオードは導通する。チョークは、直列ダイオードにおける電流の変化率を制限する。１次巻線のトランジスタ・スイッチがオフになると、１次側の共振回路のインダクタが変成器の２次巻線の電圧を反転させて、直列ダイオードをターン・オフする。その代わり、キャッチ・ダイオードは、チョーク内に電流を流すための電流路を与える。トランジスタ・スイッチのスイッチングのタイミングを制御するために、コンデンサにおける電圧から帰還信号が得られる。
帰還制御は、２次巻線に関連する出力コンデンサ上の電圧に応答するから、出力供給電圧は、出力電圧を調整する態様で２次巻線の負荷を流れる電流の変化に応答する。しかしながら、例えば、異なる動作電圧を発生するために、いくつかの２次巻線が設けられるとき、問題が生ずる。帰還信号が得られる２次巻線ではなくて、２次巻線の負荷電流の変化は帰還信号に十分に反映されないかも知れない。これは、先に説明した直列のインダクタすなわちチョークにより挿入された高インピーダンスに起因するものである。
発明の概要
２次巻線の電圧から発生されるすべての出力電圧のより精確な制御を得るために、それぞれの２次巻線とそれに関連するフィルタ・コンデンサとの間のインピーダンスを減少させることが有利である。
発明的な特徴に従って、インダクタが変成器の１次巻線と直列に結合される。このインダクタは、フォワード導通動作の間、対応する２次巻線を含む各電流路における電流の変化率を制限する。このようにして、制限用インダクタは、各電流路に共通である。それ故、有利なことに、先に説明したチョークは除去することができる。その結果、各２次巻線は、対応する整流器を介して、低インピーダンスの電流路を介して対応するフィルタ・コンデンサに結合される。これに対して、従来技術によるフォワード変換器では、高インピーダンスのチョークが各２次巻線を各フィルタ・コンデンサから分離する。有利なことに、低インピーダンスの電流路は、供給電源の出力電源能力（ｃａｐａｂｉｌｉｔｙ）を増大させ、対応する２次巻線における電圧から発生される整流された出力電圧間の改善された追従（ｔｒａｃｋｉｎｇ：トラッキング）を容易にする。
本願発明の特徴を具体化するフォワード変換器は、第１の巻線と第２の巻線を有する変成器を含んでいる。また、入力供給電圧源が設けられる。スイッチング・トランジスタは周期的スイッチング制御信号に応答し、第１の巻線に入力供給電圧を周期的に供給する。整流器は第２の巻線に結合され、第２の巻線における変成器結合された電圧を整流し、負荷に結合される整流された出力供給電圧を発生する。この出力供給電圧は、入力供給電圧が第１の巻線に供給されているとき、所定期間の一部の間、発生され、フォワード変換器動作を作動させる。インダクタは第１の巻線を介して第２の巻線に結合され、整流器を流れる電流の変化率を制限する。制御回路は、出力供給電圧を制御するスイッチング・タイミングを有する、スイッチング制御信号を発生する。
請求の範囲と実施例との対応関係を図面で使われている参照符号で示すと次の通りである。
１．第１の巻線（Ｔ１Ｗ１）と第２の巻線（Ｔ１Ｗ２）を有する変成器（Ｔ１）と、
入力供給電圧源（ＲＡＷ  Ｂ＋）と、
周期的スイッチング制御信号（ＶＢ）に応答して、前記入力供給電圧を前記第１の巻線に周期的に供給するスイッチング・トランジスタ（Ｑ１）と、
前記第２の巻線に結合され、前記第２の巻線における変成器結合された電圧（ＶＱ１）を整流して、負荷（３０３）に結合される整流された出力供給電圧（ＲＥＧ  Ｂ＋）を発生する整流器（ＤＯＵＴ２）であって、前記入力供給電圧が前記第１の巻線に供給されるとき、所定期間の一部（導通状態のＱ１）の間、前記出力供給電圧が発生され、フォワード変換器動作を与える、前記整流器と、
前記第１の巻線を介して前記第２の巻線に結合され、前記整流器を流れる電流（ＩＤＯＵＴ２）の変化率を制限するインダクタ（Ｌｒｅｓ）と、
前記インダクタに結合され、前記トランジスタが非導通のとき、共振回路を形成するキャパシタンス（Ｃ８）と、
前記共振回路に発生する共振電圧（ＶＱ１）に応答し、前記出力供給電圧を制御するスイッチング・タイミングを有し、前記スイッチング制御信号を発生して、前記スイッチング・トランジスタにゼロ電圧のスイッチングを与える制御回路（Ｑ２、Ｑ３）とから成る、フォワード変換器。
前記インダクタ（Ｌｒｅｓ）が前記第１の巻線（Ｔ１Ｗ１）と直列に結合されている、請求項１記載の変換器。
３．前記所定期間の一部の間、前記第２の巻線（Ｔ１Ｗ２）と前記負荷（３０３）との間の電流路に低インピーダンス（ＤＯＵＴ２導通）が形成される、請求項１記載の変換器。
４．前記制御回路（Ｑ２，Ｑ３）が前記出力供給電圧（ＲＥＧ  Ｂ＋）に応答して、負帰還の態様で前記スイッチング制御信号（ＶＢ）のデューティ・サイクルを変化させ、前記出力供給電圧を調整する、請求項１記載の変換器。
５．前記整流器（ＤＯＵＴ２）に結合されるフィルタ・コンデンサ（ＣＦＩＬＴＥＲ２）を含み、前記第２の巻線（Ｔ１Ｗ２）と前記フィルタ・コンデンサの間の電流路に低インピーダンス（ＤＯＵＴ２導通）が形成され、且つ前記インダクタ（Ｌｒｅｓ）が前記電流路を流れる電流を制限する、請求項１記載のフォワード変換器。
６．前記第１の巻線（Ｔ１Ｗ１）と第２の巻線（ＴｌＷ２）が、前記変成器（Ｔ１）の１次巻線と２次巻線をそれぞれ形成する、請求項１記載のフォワード変換器。
７．前記変成器が、
第３の巻線（Ｔ１Ｗ３）と、
前記第３の巻線に結合される第２の整流器（ＤＯＵＴ３）であって、前記第３の巻線に発生する変成器結合された電圧を整流して、第２の負荷（３０２）に結合される整流された第２の出力電圧（Ｕ）を発生し、前記インダクタ（Ｌｒｅｓ）が前記第１の巻線（Ｔ１Ｗ１）を介して前記第３の巻線に結合され、前記第２の整流器を流れる電流（ＩＤＯＵＴ３）の変化率を制限する、前記第２の整流器を含む、請求項１記載のフォワード変換器。
８．前記第２の巻線（Ｔ１Ｗ２）と第３の巻線（Ｔ１Ｗ３）が、それらに発生する電圧に追従するように密に結合されている、請求項７記載のフォワード変換器。
９．前記第３の巻線（Ｔ１Ｗ３）と前記第２の整流器（ＤＯＵＴ３）の間の電流路に低インピーダンス（ＤＯＵＴ３導通）が形成される、請求項７記載のフォワード変換器。
１０．第１の巻線（Ｔ１Ｗ１）と第２の巻線（Ｔ１Ｗ２）を有する変成器（Ｔ１）と、
入力供給電圧源（ＲＡＷ  Ｂ＋）と、
周期的スイッチング信号（ＶＢ）に応答して、前記第１の巻線に前記入力供給電圧を周期的に供給するスイッチング・トランジスタ（Ｑ１）と、
前記第２の巻線に結合される第１の整流器（ＤＯＵＴ２）であって、前記第２の巻線中に発生する変成器結合電圧（ＶＱ１）を整流し、該変成器結合電圧は、前記入力供給電圧がフォワード変換器動作において前記第１の巻線に供給される所定期間の一部の間、前記整流器を介して負荷（３０３）に結合されて該負荷に整流された出力供給電圧（ＲＥＧ  Ｂ＋）を発生し、前記第２の巻線と前記負荷の間の第１の電流路が前記整流器（ＤＯＵＴ２）を含み、低インピーダンスを呈する、前記第１の整流器と、
前記第１の巻線に結合され、前記第１の電流路を流れる電流（ＩＤＯＵＴ２）の変化率を制限するインダクタ（Ｌｒｅｓ）と、
前記出力供給電圧を制御するスイッチング・タイミングを有し、前記スイッチング制御信号を発生する制御回路（Ｑ２、Ｑ３）とから成る、フォワード変換器。
１１．前記第２の巻線（Ｔ１Ｗ２）と第３の巻線（Ｔ１Ｗ３）の各々が前記第１の巻線（Ｔ１Ｗ１）に密に結合されて、前記変成器（Ｔ１）の漏れインダクタンスを減少させる請求項１０記載のフォワード変換器。
【図面の簡単な説明】
図１は本発明の回路の典型的な実施例を示す概略図である。
図２は図１の概略図に示されるいくつかの箇所における電圧および電流を、２つのスイッチング・サイクルを通して示すタイミング図である。
発明の詳細な説明
図１に関して述べると、発明的特徴を具体化する例示的なゼロ電圧スイッチング・フォワード型電圧変換器すなわち電源３００が示されている。電力（例えば、２００ワット）が、スイッチング・トランジスタＱ１の“オン”期間すなわち導通期間の間に、チョッパ変成器Ｔ１の２次巻線Ｔ１Ｗ２とＴ１Ｗ３にそれぞれ結合される負荷３０３と３０２に供給される。スイッチングすなわちチョッパＮＰＮトランジスタＱ１は、チョッパ変成器Ｔ１の１次巻線Ｔ１Ｗ１と直列のスイッチとして働き、入力供給直流（ＤＣ）電圧ＲＡＷ  Ｂ＋から電流を導く。変成器Ｔ１は、供給または結合変成器と考えることができる。変流器Ｔ２は、制御変成器と考えられ、スイッチング・トランジスタとその制御回路にベース駆動電流を供給する。
供給すなわち結合変成器Ｔ１は、例えば、絶縁（ｉｓｏｌａｔｉｏｎ）変圧器として働き、消費者用電子機器における熱（ｈｏｔ）大地と冷（ｃｏｌｄ）大地を分離する。その場合、電圧ＲＡＷ  Ｂ＋は、主供給電圧を整流するブリッジ整流器から得られ、フィルタ・コンデンサ（図示せず）に結合される。この入力電圧は何か他の直流源から得ることもできる。
また、トランジスタＱ１と直列に電流検出抵抗Ｒ７が入っている。ダンパ・ダイオードＤ８は、あとで説明するように、トランジスタＱ１のコレクタを大地に対してクランプする。コンデンサＣ８は、ダイオードＤ８と並列に結合され、且つ１次巻線Ｔ１Ｗ１にも結合される。コンデンサＣ８、反射静電容量ＣＳＥＣ、インダクタＬres、１次巻線Ｔ１Ｗ１、および変流器Ｔ２の１次巻線Ｔ２Ｗ１から成る共振回路３０１が形成される。１次巻線Ｔ１Ｗ１は、以下に説明するように、トランジスタＱ１のためのベース駆動電流を供給する変流器Ｔ２の１次巻線Ｔ２Ｗ１と直列に結合される。
この共振回路は、トランジスタ・スイッチＱ１がターン・オフされると共振電圧ＶＱ１を発生し、特に、トランジスタＱ１（およびコンデンサＣ８）における電圧ＶＱ１を、実質的に正弦半波の形で、ピーク値に上昇させ次にゼロに降下させる。共振電圧ＶＱ１がゼロになったあと、ダイオードＤ８は電圧ＶＱ１を大地電位にクランプする。次にトランジスタＱ１はゼロ・ボルトにおいて再びスイッチ・オンされ、ゼロ電圧でスイッチングされる。
変成器Ｔ１の１つの２次巻線Ｔ１Ｗ３は、整流ダイオードＤＯＵＴ３のアノードに結合され、ダイオードＤＯＵＴ３のカソードはフィルタ・コンデンサＣＦＩＬＴＥＲ３に結合される。巻線Ｔ１Ｗ３は、順方向の導通動作の間、低インピーダンスの電流路を介してフィルタ・コンデンサＣＦＩＬＴＥＲ３と負荷３０２に結合される。従来技術の回路とは異なり、２次巻線Ｔ１Ｗ３と直列にチョークは設けられず、それ故に、２次巻線Ｔ１Ｗ３とフィルタ・コンデンサＣＦＩＬＴＥＲ３間の電流路のインピーダンスが低く保たれ、有利である。
同様に、第２の２次巻線Ｔ１Ｗ２は、整流ダイオードＤＯＵＴ２を介してフィルタ・コンデンサＣＦＩＬＴＥＲ２に結合され、出力電圧ＲＥＧ  Ｂ＋を供給する。また、２次巻線Ｔ１Ｗ２は、低インピーダンス電流路を介して、フィルタ・コンデンサＣＦＩＬＴＥＲ２に結合される。同様にして、チョークが使用されないので、電流路のインピーダンスは低い。
コンデンサＣＳＥＣは、それぞれの整流器のアノード側の巻線と並列に、２次巻線回路Ｔ１Ｗ２とＴ１Ｗ３の一方または両方の中に含めることができる。コンデンサＣＳＥＣは巻線Ｔ１Ｗ１に変成器結合され、前に示したように、共振回路３０１の共振静電容量の一部を形成する。
トランジスタ・スイッチＱ１のデューティ・サイクル（ｄｕｔｙ  ｃｙｃｌｅ）の制御は、出力電圧Ｕよりもむしろ、例えば、出力電圧ＲＥＧ  Ｂ＋を直接検出することに基づいている。誤差増幅器Ａは電圧ＲＥＧ  Ｂ＋に応答し、そして例えば、出力電圧ＲＥＧ  Ｂ＋に結合され且つ所定の閾値を生じる分圧器に結合される入力を有する比較器を含めることができる。誤差増幅器Ａは、オプト・カプラμ１を介して光学的に結合され、比較器用トランジスタＱ３のトリガ・レベルすなわち閾値を制御する。
有利なことに、巻線Ｔ１Ｗ２とＴ１Ｗ３の各々は、漏洩インダクタンスを減少させるように変成器Ｔ１の１次巻線に密に結合される。漏洩インダクタンスＬLは約１．５マイクロ・ヘンリーである。一方、２次巻線の各々は、対応する低インピーダンスの電流路を介してそれぞれの負荷に結合される。その結果、２次巻線Ｔ１Ｗ２とＴ１Ｗ３に発生する電圧は互いに追従する傾向がある。これが可能となるのは、各々の２次巻線と直列に従来のチョークが存在しないためである。
本発明の特徴を実現する際に、変成器Ｔ１の１次側のインダクタンスＬresは変成器結合され、順方向の導通の間、ダイオードＤＯＵＴ３とＤＯＵＴ２を含む電流路における電流ＩＤＯＵＴ３とＩＤＯＵＴ２の各々の変化率を制限する。したがって、有利なことは、巻線Ｔ１Ｗ２およびＴ１Ｗ３と直列にチョークを結合する必要がない。有利なことに、インダクタンスＬresは、巻線Ｔ１Ｗ２とＴ１Ｗ３に共有される。巻線Ｔ１Ｗ２とＴ１Ｗ３の各々を１次巻線Ｔ１Ｗ１に密に結合させることにより、変成器Ｔ１の設計が簡略化され、変成器Ｔ１における損失が減らされる。
オプト・カプラμ１から光学的に結合される信号に加えて、ベース駆動回路は、スイッチング・トランジスタＱ１と直列に接続された電流検出抵抗Ｒ７に結合される。あとで説明するように、トランジスタＱ１がターン・オンされると、トランジスタＱ１における電流レベルに比例して抵抗Ｒ７に生じる電圧は、比較器用トランジスタＱ３のベースに結合される。トランジスタＱ３は別のトランジスタＱ２と共に再生（ｒｅｇｅｎｅｒａｔｉｖｅ）ラッチを形成し、トランジスタＱ３は、スイッチング・トランジスタＱ１のベース並びに変流器Ｔ２の２次巻線Ｔ２Ｗ２に結合される。
有利なことに、２次巻線Ｔ２Ｗ２に発生する電流は、変成器Ｔ１の巻線Ｔ１Ｗ１およびスイッチング・トランジスタＱ１と直列に接続される、変成器Ｔ２の１次巻線Ｔ２Ｗ１における電流に比例する。したがって、ベース電流駆動信号ｉＢは、コレクタ電流ｉＱ１と共にほぼ直線的に変化する。有利なことに、比例的駆動技術により、トランジスタＱ１のベースの過駆動が防止される。あとで説明するように、同じ変流器が機能して、フォワード型電圧変換器３００における比例駆動、自励発振、およびゼロ電圧スイッチングの利点が得られる。
トランジスタＱ２とＱ３から成る再生ラッチのトランジスタＱ３は、比較器として機能する。抵抗Ｒ７に生じる電流を表す電圧は抵抗Ｒ８を介してコンデンサＣ７を充電するように結合され、コンデンサＣ７における電圧は小さい抵抗Ｒ９を介してトランジスタＱ３のベースに結合される。トランジスタＱ３のベース電圧がそのエミッタの電圧を、ベース／エミッタ接合部を順方向にバイアスするのに十分なだけ上回るとトランジスタＱ３は導通し、トランジスタＱ２とＱ３により形成されるラッチはスイッチング・トランジスタＱ１のベースから電流を引き出す。トランジスタＱ３のエミッタにおける電圧はコンデンサＣ６における電荷により発生する。コンデンサＣ６におけるこのエミッタ電圧は、接地されるダイオードＤ７によりダイオードの順方向電圧降下に制限される。コンデンサＣ６における電荷は、トランジスタＱ３が導通している間に補充され、オプト・カプラμ１が誤差増幅器Ａの出力信号に応答して導通すると、オプト・カプラμ１により放出される。
ＮＰＮトランジスタＱ３のコレクタはＰＮＰトランジスタＱ２のベースに結合され、トランジスタＱ２のコレクタはトランジスタＱ３のベースに結合され、再生スイッチを形成する。スイッチング・トランジスタＱ１の制御端子（すなわち、ベース）に結合される制御電圧はトランジスタＱ２のエミッタに発生する。Ｑ２のエミッタは再生スイッチ構成の出力を形成し、抵抗Ｒ５を介してトランジスタＱ１のベースに結合される。
変流器Ｔ２の２次巻線Ｔ２Ｗ２はスイッチング・トランジスタＱ１のために駆動電流を供給する。巻線Ｔ２Ｗ２に生じる電圧は交流（ＡＣ）電圧であり、スイッチング・トランジスタが交互に導通と非導通になるときに発生する。有利なことに、トランジスタＱ１がターン・オンされると、変成器Ｔ２はトランジスタＱ１を比例駆動し、トランジスタＱ１を過駆動せずに、トランジスタＱ１を飽和状態に保つ。一方、トランジスタＱ１が非導通のとき、トランジスタＱ１のコレクタにおける共振電圧ＶＱ１はトランジスタＱ１のベースに結合され、トランジスタＱ１を非導通状態に保つ。
図２のａ〜ｄは、図１に示される電圧信号と電流信号を、２つの発振サイクルによって説明する。パワー・オンすなわち発振サイクルの開始は、抵抗Ｒ４を通って流れる電流により起こる。抵抗Ｒ２と直列に結合される抵抗Ｒ４はスイッチング・トランジスタＱ１のベースに電源電圧ＲＡＷ  Ｂ＋を結合させる。抵抗Ｒ４は大きく、少量のベース駆動開始電流をトランジスタＱ１に与える。しかしながら、トランジスタＱ１が導通すると、変流器Ｔ２は、巻数比に応じて（例えば巻数比２：１０の場合２０％）、１次巻線Ｔ２Ｗ１における電流に比例する電流を２次巻線Ｔ２Ｗ２に流す。２次巻線Ｔ２Ｗ２と直列に接続されるダイオードＤ１は、この電流を抵抗Ｒ２を介してトランジスタＱ１のベースに結合させる。この加えられたベース駆動電流は、加えられたコレクタ電流に対して飽和状態を再生的に維持し、コレクタ電流の増加に比例してベース電流を増加させる。トランジスタＱ１は飽和し、コレクタ電流は、ベース駆動電流がトランジスタＱ２とＱ３の働きで除去されるまで流れ続ける。
電流検出抵抗Ｒ７に生じる電圧がトランジスタＱ３を導通させるのに十分なとき、トリガ電流がトランジスタＱ２のベースに供給され、トランジスタＱ２も導通し、トランジスタＱ３のベースにおける電圧を加え、トランジスタＱ３に付加的な駆動電流を発生し、また、再生的に動作してラッチ・オンする。抵抗Ｒ３とコンデンサＣ４はトランジスタＱ２に適正なバイアスを与える。ラッチされた駆動トランジスタＱ２の低インピーダンスにより、スイッチング・トランジスタＱ１のベースからベース電荷が素速く除去され、その結果、トランジスタＱ１はターン・オフされる。
ダイオードＤ４およびＤ５は、互いに直列に且つスイッチング・Ｑ１のエミッタと直列に結合される。トランジスタＱ１が導通しているとき、順方向にバイアスされた電圧降下（すなわち約２ボルト）がダイオードＤ４とＤ５に生じる。直列のダイオードＤ４およびＤ５と並列に接続されるコンデンサＣ５はこの電圧に達するまで充電される。コンデンサＣ５におけるこの電荷は、トランジスタＱ１のターン・オフの間に、特に、コンデンサＣ２が十分に充電されていないスタート・アップ（ｓｔａｒｔ−ｕｐ）の間に、付加的な負のバイアスを与える。このようにして、十分な負のバイアスがトランジスタＱ１のベースに加えられ、素速いターン・オフが確実に行われる。ダイオードＤ６と抵抗Ｒ６は、トランジスタＱ２のコレクタと電流検出抵抗Ｒ７の間に結合され、インピーダンスの低い（例えば、１オームの何分の１かの）抵抗Ｒ７に逆ベース電流をいくらか分流させる。この分流により、過度の蓄積時間およびスイッチング性能の低下を引き起こすような、トランジスタＱ３のベースを過駆動する傾向が減らされる。
トランジスタＱ１がターン・オフされたあと、変成器Ｔ２の巻線Ｔ２Ｗ２は、直列に結合されたダイオードＤ２と抵抗Ｒ１に負の電圧を生じさせる。駆動トランジスタＱ２とＱ３は、その中を流れる電流がトランジスタを再生的にラッチしておくのに必要とされる閾値以下に減少するまでラッチされたままである。その後、直列結合されたダイオードＤ２と抵抗Ｒ１に生じる電圧はトランジスタＱ１が導通するのを防止する。
結局、共振回路３０１の共振作用により、ベース／エミッタ電圧は極性が反転される。スイッチング・トランジスタＱ１のベースの電圧が十分な大きさに増加すると、電流がトランジスタＱ１のベースに流れ始め、すでに述べたように、再生的に増大するコレクタ電流を発生させ、次のサイクルを開始する。トランジスタＱ１のコレクタ電流ｉＱ１は、コレクタ電圧ＶＱ１がゼロ・ボルトになると流れ始める。これによって、ゼロ電圧スイッチングが得られる。
有利なことに、変流器Ｔ２は自励発振を行なう。変流器Ｔ２の２次巻線Ｔ２Ｗ２に結合される回路において、ダイオードＤ２と抵抗Ｒ１は、トランジスタＱ１のオフ期間の間に発生する負の電圧を制限する。ダイオードＤ２、抵抗Ｒ１、およびコンデンサＣ１は低インピーダンスを形成するので、変成器Ｔ２は、ターン・オフ期間の間、変流器として働く。ダイオードＤ１は順方向の駆動電流のための電流路となり、またダイオードＤ１と並列のコンデンサＣ１の充電を、導通しているときダイオードＤ１に発生する順方向電圧に制限する。ダイオードＤ１、抵抗Ｒ２、およびトランジスタＱ１のベース／エミッタ接合部は、トランジスタＱ１のターン・オン期間の間、低インピーダンスを形成する。従って、変成器Ｔ２は変流器として働く。有利なことに、変流器として動作することにより、変成器Ｔ２は大きな磁気エネルギーを貯える必要がないので、小さなコアを備えればよい。
ダイオードＤ１により阻止される負のベース電流はトランジスタＱ１のターン・オフ期間の間、コンデンサＣ１を通って流れる。ダイオードＤ３とコンデンサＣ３は結合され、変成器Ｔ２から発生される負の電圧を整流し濾波し、オプト・カプラμ１におけるフォトトランジスタのエミッタに結合される負の電源電圧を供給する。
図２のａ〜ｄは、図１に示す同調スイッチ・モード電源回路の動作を説明するのに役立つ波形を示す。図１の回路における点または経路を図２のａ〜ｄにおける電圧信号および電流信号で識別するために、同じ様な記号が使用されている。
図２のａは、トランジスタＱ１のコレクタにおける電圧ＶＱ１（実線）および電流ｉＱ１（破線）を示す。図２のｂは、トランジスタＱ１のベースにおける電圧ＶＢ（破線）および電流ｉＢ（実線）を示す。正のベース電圧ＶＢがあるとき、ベース電流ｉＢとコレクタ電流ｉＱ１は、トランジスタＱ１の電流ｉＱ１が約８Ａでピークに達するまで、次第に上昇する。トランジスタＱ１の順方向導通期間の間、２次巻線における整流器は導通する（図２のｃに電流ｉＤＯＵＴで示す）。
トランジスタＱ１がターン・オフすると、ベース電流は駆動され、絶対値が正の値よりも、例えば２の係数だけ大きい負の値に突然反転する。トランジスタＱ１のターン・オフの間、トランジスタＱ１のコレクタにおける共振電圧ＶＱ１（これは、コンデンサＣ８における電圧でもある）は、共振的に上昇し次に下降する。
共振サイクルの間、コンデンサＣ８における電圧ＶＱ１がゼロに降下したあと、ダイオードＤ８はこの電圧を大地電位近くにクランプし、ベース電流ｉＢとコレクタ電流ｉＱ１が増加し始めるまで、図２のｄに示すような期間の間、導通する。
図に示すような発明的同期スイッチ・モード電源は、各電流パルスごとの制御に基づき、電流モード制御で動作する。トランジスタＱ１のコレクタとベースにおける電流パルスｉＱ１とｉＢは、それぞれコレクタ電流が図１におけるトランジスタＱ３の閾値レベルに達すると、すなわち、トランジスタＱ３のベース電圧を、コンデンサＣ６の電圧を上回りベース／エミッタ順バイアス電圧レベル以上に上昇させるのに十分な電流レベル（抵抗Ｒ７で検出される）に達すると、終了する。コンデンサＣ６の電荷は、誤差増幅器Ａからの信号に応答して、オプト・カプラμ１のフォトトランジスタの導通により調節される。このようにして、電圧は、電流パルスに基づき厳密に調節される。
発明的回路は、誤差増幅器Ａのダイナミック・レンジを使用する必要なしに且つ入力電圧の変動が出力に現れるのを待つことによる遅延なしに、電流に応答し、且つ電源電圧ＲＡＷ  Ｂ＋での入力電圧の変動をフィード・フォワード（ｆｅｅｄ  ｆｏｒｗａｒｄ）的に瞬時に補正することができる。このようにして、電流モードの調整の利点と同調スイッチ・モード電源の利点の両方を得ることができる。
変成器Ｔ１において、２次巻線Ｔ１Ｗ２とＴ１Ｗ３は１次巻線Ｔ１Ｗ１に密に結合される。導通するダイオードＤＯＵＴ２およびＤＯＵＴ３の各々の電流路における低インピーダンスは、対応する巻線Ｔ１Ｗ２またはＴ１Ｗ３と、対応するフィルタ・コンデンサＣＦＩＬＴＥＲ２またはＣＦＩＬＴＥＲ３との間に入れられる。有利なことに、各電流路のインピーダンスが低いので、誤差増幅器で検出されるのは電圧ＲＥＧ  Ｂ＋だけであるが、検出されていない電圧Ｕはかなりの程度にまで調整される。
【図１】
0003924010.tif 000002
【図２ａ】
0003924010.tif 000003
【図２ｂ】
0003924010.tif 000004
【図２ｃ】
0003924010.tif 000005
【図２ｄ】
0003924010.tif 000006